(57)【要約】【課題】露出開口に対する押圧操作部の位置決めを確実に行うことのできる車両のドア操作ハンドルの提供を目的とする。【解決手段】表裏カバー１、２を連結して中空状に形成され、中空部内に固定された操作スイッチ３の押圧操作部４を表カバー１に開設された露出開口５から露出させて車両のドア６に取り付けられる車両のドア操作ハンドルＡであって、    前記操作スイッチ３は、スイッチケース７の対向側壁に突設された一対の舌片８、９の一方に突設した位置決め突部１０を表カバー１に形成された位置決め凹部１１に嵌合させるとともに、他方の舌片９の対向側縁を中空部の壁面に当接させて位置決め凹部１１周りの回転を規制して位置決めされる。【選択図】  図５
2010229798.tif 000002
【特許請求の範囲】
【請求項１】
表裏カバーを連結して中空状に形成され、中空部内に固定された操作スイッチの押圧操作部を表カバーに開設された露出開口から露出させて車両のドアに取り付けられる車両のドア操作ハンドルであって、
前記操作スイッチは、スイッチケースの対向側壁に突設された一対の舌片の一方に突設した位置決め突部を表カバーに形成された位置決め凹部に嵌合させるとともに、他方の舌片の対向側縁を中空部の壁面に当接させて位置決め凹部周りの回転を規制して位置決めされる車両のドア操作ハンドル。
【請求項２】
前記位置決め凹部は、表カバーの壁面に包囲壁を突設して形成される請求項１記載の車両のドア操作ハンドル。
【請求項３】
前記表カバーは、一端部にドアへの回転連結部を、他端部に回転連結部側に開放されて成形時における型割方向に対してアンダーカットとなる肉盗み部が形成された作動脚部を各々備えるとともに、
肉盗み部には、回り止め用の舌片が嵌合する嵌合凹部が形成され、
かつ、前記位置決め凹部、および位置決め突部は、前記肉盗み部の成形時の型抜き方向に傾斜して形成される請求項１または２記載の車両のドア操作ハンドル。
【発明の詳細な説明】
【技術分野】
【０００１】
本発明は車両のドア操作ハンドルに関するものである。
【背景技術】
【０００２】
表裏カバーを連結して形成され、中空部内に操作スイッチを固定した車両のドア操作ハンドルとしては、特許文献１記載のものが知られている。この従来例において、操作ハンドルは、カバー（表カバー）とハンドル本体（裏カバー）とを連結して中空状に形成され、中空部に意志確認手段（操作スイッチ）が配置される。操作スイッチは、タクトスイッチを収容したスイッチホルダを弾性材により形成されたスイッチボタンにより覆って形成される。
【０００３】
スイッチボタンには嵌合孔が明けられた支持部が設けられており、操作スイッチは、裏カバーに突設された支持突部を上記嵌合孔に嵌合させるとともに、表カバーに開設された開口部（露出開口）からスイッチボタンの押圧操作部を露出させて固定される。
【０００４】
しかし、この従来例において、押圧操作部の周壁は位置決めのために露出開口の周壁に摺接しているために、摺動抵抗の増加等の要因による作動不良が発生しやすいという欠点がある。
【０００５】
この問題は、操作スイッチの位置決めを上述した支持部により行ない、露出開口と押圧操作部との間に適宜の間隙を設定することにより解決可能とも思われるが、表カバーに形成される露出開口に対する押圧操作部の相対位置を裏カバーにより位置決めすることとなり、表裏カバーの連結誤差等の影響を受けやすいという欠点がある。
【先行技術文献】
【特許文献】
【０００６】
【特許文献１】特開２００４-１６９４２７号公報
【発明の概要】
【発明が解決しようとする課題】
【０００７】
本発明は、以上の欠点を解消すべくなされたものであって、露出開口に対する押圧操作部の位置決めを確実に行うことのできる車両のドア操作ハンドルの提供を目的とする。
【課題を解決するための手段】
【０００８】
車両のドア操作ハンドルは、車両に装着されてドア６の開閉操作を行うもので、表裏カバー１、２を連結して形成される中空部内に収容、固定される操作スイッチ３を備える。操作スイッチ３は、例えば、利用者が所持する電子的認証手段との交信開始スイッチとして利用され、押圧操作部４を表カバー１に開設された露出開口５から外部に露出させて配置される。
【０００９】
操作スイッチ３のスイッチケース７は対向位置に一対の舌片８、９を有しており、一方の舌片８から突設される位置決め突部１０を表カバー１の位置決め凹部１１に嵌合させることによって並進方向の位置を規制し、さらに、他方の舌片９の両側縁を中空部の壁面に当接させることによって位置決め凹部１１周りの回転を規制することにより位置決めされる。
【００１０】
表カバー１に形成される露出開口５に対する位置決めを表カバー１を基準に行う本発明において、裏カバー２を基準に位置決めする従来例に比して誤差集積等の機会が減少するために、より正確な位置決めが可能になる。この結果、露出開口５周壁と押圧操作部４との干渉による作動不良、あるいは露出開口５周壁と押圧操作部４との間隙寸法の不均一による見栄えの低下を防ぐことが可能になる。
【００１１】
さらに、表カバー１に対する位置決めを、スイッチケース７に設けた舌片８から突設された位置決め突部１０を表カバー１の位置決め凹部１１に嵌合して行うために、防水、防塵等のために表面部が合成ゴム等のシールカバー３ａにより覆われ、表カバー１との対向部を位置決め部として利用不能な操作スイッチ３であっても、表カバー１側にスイッチケース７の位置決め可能部まで延びる位置決め壁を設ける必要がないために、当該位置決め壁の設定による表カバー１への肉厚の急激な変化部位の発生を防ぐことができ、結果、成形時の表面欠陥の発生を効果的に防止することができる。
【００１２】
また、位置決め突部１０に並進方向の位置決め機能のみを分担することにより、位置決め突部１０に回り止めを考慮した断面形状、すなわち、回転中止から回り止め部位までの間隔を十分に長くとった形状にする必要がなくなる。この結果、この位置決め突部１０が嵌合する位置決め凹部１１を小断面形状に形成することができるために、上述した表カバー１への表面欠陥の発生防止に加え、中空部内のスペースを例えば、他の電子部品の格納スペースとして利用する等、有効に利用できる。
【００１３】
さらに、位置決め突部１０回りの回転を規制する舌片９は、位置決め突部１０が形成される舌片８に対して対向位置に配置されるために、回転中心からのアーム長を可及的に長くすることが可能になり、回転規制の精度を高めることができる。
【発明の効果】
【００１４】
本発明によれば、操作スイッチの位置決めを表カバー基準により行うために、露出開口に対する押圧操作部の位置決めを確実に行うことができる。
【図面の簡単な説明】
【００１５】
【図１】本発明を示す図で、（ａ）は正面図、（ｂ）は（ａ）の１Ｂ-１Ｂ線断面図である。
【図２】操作ハンドルを示す図で、（ａ）は裏面図、（ｂ）は（ａ）の２Ｂ方向矢視図である。
【図３】表カバーの組み立てを示す図である。
【図４】表カバーを示す図で、（ａ）は断面図、（ｂ）は操作スイッチの位置決めを示す図である。
【図５】表カバーの組み付け状態を示す図で、（ａ）は裏面図、（ｂ）は裏カバーを連結した状態を示す要部断面図である。
【発明を実施するための最良の形態】
【００１６】
図１に示すように、ドア操作ハンドルＡは、該ドア操作ハンドルＡとともにドアハンドル装置を構成するハンドルベース１７を介して図１（ａ）において左側を車両先頭に向けた水平姿勢でドア６に装着される。以下、本明細書において車両取付姿勢を基準に車両前後方向を「前後」、車幅中心線方向を「裏面方向」、反対方を「表面方向」とする。
【００１７】
ハンドルベース１７は、前端部にヒンジ用弾性片１７ｂとヒンジ受け１７ｃを有するとともに、前後両端部にハンドル装着開口１７ａを開設して形成され、ドア６外部への露出を防ぐためにドアパネル６の裏面に沿って配置される。
【００１８】
一方、操作ハンドルＡは、前端部に回転連結部１３を、後端部に作動脚部１４を備え、回転連結部１３、および作動脚部１４をハンドル装着開口１７ａを介してドア６内に挿入した後、前方にスライド操作することにより装着される。装着状態において、回転連結部１３のヒンジ用突起１３ａがハンドルベース１７のヒンジ用弾性片１７ｂを弾性変形させ、結果、回転連結部１３の裏面側壁面がハンドルベース１７のヒンジ受け１７ｃに押し付けられる。この状態で操作ハンドルＡの中間部を握って引き出し方向の操作力を与えると、ヒンジ用突起１３ａとヒンジ用弾性片１７ｂ、および回転連結部１３の裏面側壁面とヒンジ受け１７ｃとが各々圧接状態を維持しながらスライドし、全体として概ね仮想回転中心（Ｃ）回りに回転する。
【００１９】
また、ハンドルベース１７の後端部には、作動脚部１４に係止する係止片１８ａを備えたレバー１８が回転中心（Ｃ１８）周りに回転自在に連結されており、操作ハンドルＡの回転操作に伴う作動脚部１４の表面側への移動によってレバー１８が回転駆動される。レバー１８には、ケーブル装置１９等が連結されており、レバー１８の回転によりドア６内に配置されるドアロック装置２０が駆動される。
【００２０】
さらに、後端部のハンドル装着開口１７ａには、エスカッション２１が装着される。エスカッション２１は、操作ハンドルＡを装着した後、止着子２１ａを使用してハンドルベース１７に連結され、操作ハンドルＡの後方への移動を規制するとともに、ハンドルベース１７の後端部をドアパネル６裏面に圧接させてハンドルベース１７の沈み込みを防止する。
【００２１】
次に、上記操作ハンドルＡの詳細を説明する。操作ハンドルＡは、図１、２に示すように、合成樹脂材を射出成形して形成される表裏カバー１、２を連結して中空状に形成される。上記回転連結部１３、および作動脚部１４を表裏いずれのカバーに形成するかは適宜選択可能であるが、この実施の形態では、長手通しに溝部１ａを形成して裏面方向に開放される断面Ｕ字形状の表カバー１ の長手方向端部に双方が形成され、表カバー１の溝部１ａの開放部を裏カバー２により閉塞することにより中空部が形成される。
【００２２】
図１（ｂ）に示すように、裏カバー２の連結は、後端に突設した連結片２ａを表カバー１の作動脚部１４の前面に凹設された連結凹部１ｂに係止させた状態で裏カバー２全体を当該係止部を回転中心として回転させた後、前端部を止着子２２により表カバー１に止着して行われる（図２参照）。止着子２２をねじ込むために、表カバー１には中心に雌ねじを形成したボス１ｃが立設される。
【００２３】
上記表カバー１の溝部１ａには、足元照明用の発光部品２３、アンテナ２４、および操作スイッチ３が配置される。発光部品２３は、内部のＬＥＤ（図示せず）をレンズにより覆って形成され、表カバー１に開設された照明装着開口１ｄに嵌合、固定される。照明装着開口１ｄは、ドア６への装着状態において下方を向く側の側壁に開設される。アンテナ２４は利用者が所持する電子式認証鍵と車内に搭載される図外の車載コンピュータとの交信として使用され、粘着テープ２４ａ等を使用して表カバー１の裏面に固定される（図１（ｂ）参照）。
【００２４】
上記電子式認証鍵に対する車載コンピュータによる認証成立をドア操作の条件とするセキュリティシステムに対応したこの実施の形態の操作ハンドルＡにおいて、上記操作スイッチ３は、施錠操作時の車載コンピュータから認証鍵への出力要求信号送出スイッチとして使用される。すなわち、操作スイッチ３を操作すると、車載コンピュータはリクエスト信号を生成してアンテナ２４から認証鍵に出力し、これを受信した認証鍵から出力される認証用信号が車載コンピュータで認証されると、ドアロック装置２０を駆動して施錠状態に移行させる。
【００２５】
図４（ｂ）に示すように、操作スイッチ３は、スイッチケース７内に図外のタクトスイッチを収容して形成される。タクトスイッチの可動性を維持して防水、防塵性能を確保するために、スイッチケース７の表面側開口は合成ゴム等のシールカバー３ａにより覆われており、シールカバー３ａに正面視楕円形状に形成され、表カバー１に開設される露出開口５に嵌合する操作ボタン（押圧操作部４）が装着される。さらに、スイッチケース７の前後端部には一対の舌片８、９が突設され、前端部側の舌片８に位置決め突部１０が表面側に向けて突設される。位置決め突部１０は、軸長方向線が表面側に行くに従って前方に向けて傾斜する円柱状に形成される。
【００２６】
以上の操作スイッチ３を所定の位置に固定するために、表カバー１には、位置決め凹部１１と嵌合凹部１６とが形成される。位置決め凹部１１は、表カバー１の裏面に円環状の包囲壁１２を突設して形成される。
【００２７】
また、図４（ａ）に示すように、嵌合凹部１６は表カバー１の後端壁面の肉厚を薄くするための肉盗み部１５を兼用するもので、作動脚部１４の基端部に設けられる。位置決め凹部１１、および肉盗み部１５を形成することによって、図４（ａ）において符号ＰＬにより示される成形型の型割り方向に対してアンダーカット部分が発生するために、肉盗み部１５は、成形後、矢印Ｓ方向に移動するスライドコアを使用した成形金型を使用して成形される。さらに、このスライドコアには上記位置決め突部１０が嵌合可能な位置決め凹部１１の形状が彫り込まれており、上記位置決め突部１０を位置決め凹部１１に嵌合可能にするために、上述した位置決め突部１０の軸方向中心線は、スライドコアの型抜き方向（Ｓ）に一致するように設定される。
【００２８】
したがってこの実施の形態において、操作スイッチ３は、スイッチケース７の位置決め突部１０を位置決め凹部１１に嵌合させるとともに、後端側の舌片９を位置決め凹部１１に嵌合させて表カバー１に装着される。表カバー１への装着状態において、位置決め凹部１１への位置決め突部１０の嵌合により並進方向の移動が規制されるとともに、後端部の舌片９の両側縁が位置決め凹部１１の壁面に当接してスイッチケース７の回転方向の自由度が規制され、結果、表カバー１を基準として所定の位置に位置決めされる。
【００２９】
以上のようにアンテナ２４を固定し、発光部品２３、および操作スイッチ３を仮保持した状態で表カバー１の開口を裏カバー２により閉塞し、止着子２２により固定すると、図５（ｂ）に示すように、仮保持状態のスイッチケース７の底壁部が裏カバー２の支持部２ｂに支えられた状態となって移動が規制される。支持部２ｂによるスイッチケース７の表面側への押圧により、位置決め突部１０は位置決め凹部１１の包囲壁１２から後方への分力を受けるために、より正確な位置決めがなされる。
【００３０】
また、上記アンテナ２４、および発光部品２３、操作スイッチ３のハーネス２４ｈ、２３ｈ、３ｈは、中空部内を挿通して前端部に導かれ、回転連結部１３の基端から外部に引き出される。図５（ａ）に示すように、表カバー１に裏カバー２を止着する際のねじ座面への噛み込みを防止するために、ボス１ｃの頂面にはハーネス押さえ２５が突設される。
【符号の説明】
【００３１】
１        表カバー
２        裏カバー
３        操作スイッチ
４        押圧操作部
５        露出開口
６        ドア
７        スイッチケース
８、９    舌片
１０      位置決め突部
１１      位置決め凹部
１２      包囲壁
１３      回転連結部
１４      作動脚部
１５      肉盗み部
１６      嵌合凹部
【図１】
2010229798.tif 000003
【図２】
2010229798.tif 000004
【図３】
2010229798.tif 000005
【図４】
2010229798.tif 000006
【図５】
2010229798.tif 000007